Podtech/llm-jp-corpus-v4-ja_patent huggingface dataset:
(57)【特許請求の範囲】
【請求項１】
袋本体をやわらかく伸張性のある天然牛革を用いて、開口部を形成するように、上面部および下面部を縫い合わせることにより構成し、上面部の開口部内側近傍にループ状のゴム紐の一部分をギャザー寄せしながら縫い付けられているとともに、下面開口部内側近傍にゴム紐の一部分をギャザー寄せしながら縫い付けられていることを特徴とするジャンピングシューズ。
【発明の詳細な説明】
【技術分野】
【０００１】  本発明は新体操などの体操時に使うもので、つま先を覆うジャンピングシューズに関する。
【背景技術】
【０００２】  従来この種のシューズは袋本体をパイル地や繊維などの編み物で構成したものがある（たとえば特許文献１参照）。
【先行技術文献】
【特許文献】
【０００３】  登録実用新案第３１３６８９９号  公報
【発明の概要】
【発明が解決しようとする課題】
【０００４】しかし、上記特許文献１に記載されたものは、毎日履いて練習をすると、すぐに擦り切れてしまうなど耐久性が悪い。一般的に新体操は体育館のフローリング（床）で練習をするので従来の編み物で構成されたシューズだと滑り易く、ジャンプや回転をすると転倒の恐れがある。【０００５】そこで本発明は、袋全体を厚さ約０．４ｍｍで柔らかく伸張性のある天然牛革を使用して形成したものであって、足にフィットさせる為に上面裏側（Ｕの字ラインン内側）と下面表側の開口部内側にゴム紐をギャザー寄せしながら縫い付たものである。
【課題を解決するための手段】
【０００６】そして本発明は、袋全体の素材を厚さ約０．４ｍｍで柔らかく伸張性のある天然牛革を使用し、革の表を上面にし、革の裏側を底にし、上面は奇麗に見せて、下面の底は滑り止めとして使用する。また足の形に近い形を作り、足に負担がかかりりにくくする。
【発明の効果】
【０００７】本発明の効果として、袋全体の素材を厚さ約０．４ｍｍで柔らかく伸張性のある天然牛革を使用し、耐久性を向上させるために足の形状に近い形とすることにより、足に負担をかけにくく、また縫い目がつま先にあたってもソフトな感触が得られる。
そして上面（革の表側）のＵの字ライン内側にゴム紐をギャザーを寄せながら縫い付けたことにより足に密着し、より奇麗に見える効果、下面（革の表側）の開口部の内側にもゴム紐をギャザーを寄せながら縫い付け、さらに足に密着し下面部の足が接触する部分に白地布を張り付けることによって汗を吸収し、シューズを履いているかわからないくらいソフトな感触でどこで履いても滑らなく、安心して演技ができという効果がある。
【図面の簡単な説明】
【０００８】
【図１】本発明に係る体操用ジャンピングシューズの平面図。
【図２】同底面図。
【図３】同側面斜視図。
【発明を実施するための形態】
【０００９】以下、本発明を図１〜図３を参照して詳細に説明する。
１は袋本体で、この袋本体は上面部２と下面部３とを縫い合わせて形成されている。
つま先を入れるための開口部４が形成されていて、その開口部４の入り口内側近傍の裏側にはＵの字を描くようにＵの字ライン５を形成するように、ゴム紐をギャザーを寄せしながら、縫い付けてある。一方下面３（革の表側）の足が挿入される部分に白地布７が、貼られている。そして、上面部２と下面部３を縫い合わせる。開口部４の下面部３の開口部内側近傍にも、上面部２と同様、ゴム紐８がギャザー寄せしながら縫い付けられている。そして上面部に縫い付けられていたＵの字ライン５は縫い付けられていないゴム紐６とでループを形成するように、一本のゴム紐で構成されている。
同様に下面部３の縫い付けられているゴム紐８と縫い付けられていないゴム紐９とで、ループを形成するように一本のゴム紐で構成されている。
上記実施例において袋本体の素材の厚さは約０．４ｍｍのものを使用したが、厚さはこれに限定されるものではない。
【産業上の利用可能性】
【００１０】本発明は袋本体の素材を厚さ約０．４ｍｍで柔らかく伸張性のある天然牛革を使用したことにより、体育館のフローリングはもちろんどんな場所でも滑りにくく、ジャンプや回転などやアクロバットもできる優れ物である。
【符号の説明】
【００１１】１：袋全体
２：上面部
３：下面部
４：開口部
５：Ｕの字ライン
６：ゴム紐
７：白地布
８：ゴム紐
９：ゴム紐
【要約】      （修正有）【課題】従来品のシューズ素材（編み物で構成されてパイル糸で作られた物）で作ったシューズは体育館で使用すると滑ってしまい、ジャンプや回転するときに非常に不便であった。【解決手段】袋本体をやわらかく伸張性のある天然牛革を用いて、開口部４を形成するように、上面部２および下面部を縫い合わせることにより構成し、上面部２の開口部４内側近傍にループ状のゴム紐６の一部分をギャザー寄せしながら縫い付けられているとともに、下面開口部内側近傍にゴム紐６の一部分をギャザー寄せしながら縫い付けられているジャンピングシューズ。【選択図】図１【図１】
0004643756.tif 000002
【図２】
0004643756.tif 000003
【図３】
0004643756.tif 000004